(57)【特許請求の範囲】
【請求項１】
複数本の針を備えた刺繍ヘッドの糸保持エプロンに設けられ、各針が刺繍縫いを開始する前に各針に通っている上糸が加工布の上へ垂れないように該上糸の端部付近を係止してストックする上糸ストッカにおいて、
前記糸保持エプロンに設けられている前記針と同数の糸つかみ装置を利用し、各糸つかみ装置の可動つかみ片と共に前進及び後退する駆動ピンの前端に、前記糸保持エプロンの前面との間で上糸の端部付近を挟持してストックする押え体を取付けたことを特徴とする多針刺繍ミシンの上糸ストッカ。
【請求項２】
前記駆動ピンが後退して、前記可動つかみ片が前記糸つかみ装置の固定つかみ片との間で上糸の途中部を挟持したとき、前記押え体が前記糸保持エプロンの前面との間で上糸の端部付近を挟持し、また、前記駆動ピンが前進して、前記可動つかみ片が前記上糸の途中部の挟持を解放したとき、前記押え体が前記上糸の端部付近の挟持を解放するように、前記押え体の取付位置を調整した請求項１記載の多針刺繍ミシンの上糸ストッカ。
【発明の詳細な説明】
【０００１】
【発明の属する技術分野】
この発明は、複数本の針を備えた刺繍ヘッドの糸保持エプロンに設けられる上糸ストッカに関するものである。
【０００２】
【従来の技術】
多針刺繍ミシンにおいては、図５に示すように、刺繍ヘッド５１の複数本（図示例では９本）の針５２にそれぞれ上糸５３を通してから、各上糸５３の端部付近５３ａを糸保持エプロン５４の両端部に設けられた二つの上糸ストッカ５５にまとめて係止させてストックしておき、それからミシンを作動させ、複数本の針５２から選択される１本の針５２を縫製位置Ａに配置して刺繍縫いを行なわせるようにしている。これは、まだ一度も前記縫製位置Ａに配置されていない（刺繍縫いを開始していない）針５２に通っている上糸５３が加工布（図示略）の上に垂れていると、その垂れた上糸が、前記縫製位置Ａに配置された針によって加工布に縫込まれてしまうので、その縫込みを防ぐためである。
【０００３】
一度縫製位置Ａに配置された針５２については、その針５２が刺繍縫いを開始したときに、その針５２に通っている上糸５３が引っ張られて端部付近５３ａが上糸ストッカ５５から抜け外れる。そして、その針５２が刺繍縫いを休止したときに、その針５２に通っている上糸５３が釜の近傍の糸切断装置（図示略）で切断され、該上糸５３が針５２の後方の上糸はらい装置（図示略）で針５２の後方へはらい上げられ、該上糸５３の切断端部付近が針５２の後方の上糸保持具（図示略）で保持されるため、該上糸５３を再び上糸ストッカ５５に係止させる必要は無くなる。
【０００４】
従来の上糸ストッカ５５は、図６に示すように、糸保持エプロン５４の前壁に螺着された支持ネジ５６と、該支持ネジ５６の頭部に係止された座皿５７と、該支持ネジ５６の軸部に変位可能に通された押え皿５８と、座皿５７と押え皿５８との間に圧縮状態で介装されて押え皿５８を糸保持エプロン５４の前壁側へ付勢する付勢バネ５９とからなり、押え皿５８と糸保持エプロン５４の前面との間で上糸５３の端部付近５３ａを挟持してストックするようになっている。
【０００５】
なお、図６に示すように、糸保持エプロン５４の前壁には、針５２と同数だけ設けられた糸つかみ装置の駆動ピン６０の前端面が現れている。その前端面は、駆動ピン６０の後退時（糸つかみ時）に糸保持エプロン５４の前面と略面一になり（縫製位置Ａ以外のものを参照）、駆動ピン６０の前進時（糸つかみ解除時）に糸保持エプロン５４の前面より前方へ突出する（縫製位置Ａのものを参照）。
【０００６】
【発明が解決しようとする課題】
ところが、一つの上糸ストッカ５５に複数本（図示例では４〜５本）の上糸５３の端部付近５３ａをまとめて挟持するようにしていたため、図５に二つの長い矢印で示すように、縫製位置Ａに配置された針５２に通っている上糸５３の端部付近５３ａが上糸ストッカ５５から抜け外れるときに、他の針５２（図示例では縫製位置Ａの隣り）に通っている他の上糸５３の端部付近５３ａも、摩擦等で一緒に上糸ストッカ５５から抜け外れて脱落することがあり、後者の上糸５３について上記縫込みが発生していた。
【０００７】
また、上記のように縫製位置Ａの上糸５３が抜け外れるときに、他の上糸５３が抜け外れないまでも緩んで針５２の下方へループを作ることがある。その場合、図示例のように布押え６１を縫製位置Ａに１本だけ設けて針５２とは独立して駆動する高速タイプのミシンでは、刺繍ヘッド５１が回動して縫製位置Ａに配置される針５２が変わるとき（色換え時）に、緩んだ他の上糸５３のループが該回動により布押え６１に引っ掛かることがある。そうなると、その上糸５３は、結局、上糸ストッカ５５から抜け外れて脱落し、該上糸５３について上記縫込みが発生していた。
【０００８】
そこで、本発明の目的は、縫製位置に配置された針に通っている上糸の端部付近が上糸ストッカから抜け外れるときに、確実にその上糸のみが抜け外れるようにし、他の針に通っている上糸が一緒に抜け外れたり緩んだりする不具合を防止することができる多針刺繍ミシンの上糸ストッカを提供することにある。
【０００９】
【課題を解決するための手段】
本発明では、複数本の針を備えた刺繍ヘッドの糸保持エプロンに設けられ、各針が刺繍縫いを開始する前に各針に通っている上糸が加工布の上へ垂れないように該上糸の端部付近を係止してストックする上糸ストッカにおいて、糸保持エプロンの内部に設けられている前記針と同数の糸つかみ装置を利用し、各糸つかみ装置の可動つかみ片と共に前進及び後退する駆動ピンの前端に、糸保持エプロンの前面との間で上糸の端部付近を挟持してストックする押え体を取付けたことを特徴としている。
【００１０】
ここで、駆動ピンが後退して、可動つかみ片が糸つかみ装置の固定つかみ片との間で上糸の途中部を挟持したとき、押え体が糸保持エプロンの前面との間で上糸の端部付近を挟持し、また、駆動ピンが前進して、可動つかみ片が前記上糸の途中部の挟持を解放したとき、押え体が前記上糸の端部付近の挟持を解放するように、押え体の取付位置を調整することが好ましい。
【００１１】
【発明の実施の形態】
以下、この発明を具体化した高速タイプの多針刺繍ミシンの一実施形態を図１〜図４に基づいて説明する。多針刺繍ミシンの刺繍ヘッド１には複数本の針棒４が円周方向に等間隔をおいて上下動可能に配列され、各針棒４には針５が取付けられている。刺繍ヘッド１の回動によって、複数本の針５から選択された１本の針５が、縫製位置Ａに配置され駆動されるようになっている。一方、縫製位置Ａには布押え６が１本だけ設けられ、縫製位置Ａに配置された針５とは独立して駆動されるようになっている。刺繍ヘッド１の前面には糸保持エプロン７が装着され、該糸保持エプロン７には各針５に通された上糸８を必要時につかむ糸つかみ装置１０が、針５等と同数だけ各針５に対応した位置に設けられている。
【００１２】
各糸つかみ装置１０は、糸保持エプロン７の前壁及び後壁を貫通して前進及び後退する駆動ピン１１と、糸保持エプロン７の内部において駆動ピン１１にネジ１２で取付けられて共に前進及び後退する可動つかみ片１３と、糸保持エプロン７の内部において糸保持エプロン７の上壁にネジ１４で取付けられた固定つかみ片１５と、糸保持エプロン７の前壁と可動つかみ片１３との間に介装されて可動つかみ片１３を固定つかみ片１５に押し当てる方向に付勢する付勢バネ１６とからなる。各駆動ピン１１の後端は、糸保持エプロン７より後方へ大きく突出している。刺繍ヘッド１には、縫製位置Ａに配置された針５に対応する糸つかみ装置１０の駆動ピン１１の後端を、必要時に付勢バネ１６に抗して前方へ押圧するためのピン押圧装置１７が設けられている。
【００１３】
本実施形態の上糸ストッカ２０は、前記針５等と同数の糸つかみ装置１０を利用し、各糸つかみ装置１０の駆動ピン１１の前端に、糸保持エプロン７の前面との間で上糸８の端部付近８ａを挟持してストックする押え体２１を取付けてなる。詳しくは、駆動ピン１１の前端を、駆動ピン１１の前進時（糸つかみ解除時）のみならず、駆動ピン１１の後退時（糸つかみ時）にも、糸保持エプロン７の前面より前方へ突出するように設け、その前端に押え体２１を取付けている。押え体２１は、樹脂、金属等により皿状（又はボタン状）に形成されている。
【００１４】
詳しくは、駆動ピン１１が後退して、可動つかみ片１３が固定つかみ片１５との間で上糸８の途中部８ｂを挟持したとき、押え体２１が糸保持エプロン７の前面との間で上糸８の端部付近８ａを挟持し、また、駆動ピン１１が前進して、可動つかみ片１３が前記上糸８の途中部８ｂの挟持を解放したとき、押え体２１が前記上糸８の端部付近８ａの挟持を解放するように、駆動ピン１１の前端における押え体２１の取付位置が調整されている。
【００１５】
その他、刺繍ヘッド１には、各針５の下端部前方に位置して、各上糸８を下からくぐらせて掛けるための糸掛け枠２４が取付けられている。また、図示は省略するが、周知の通り、刺繍ヘッド１の下方に設けられたベッドの上では、加工布を展張した刺繍枠が駆動装置によって水平面内で前後左右に駆動されるようになっている。そのベッドには針板が設けられ、該針板の下側には糸切断装置及び釜が配設されている。そして、刺繍ヘッド１の回動に伴い複数本の針５から選択された１本の針５を縫製位置Ａに配置し、該縫製位置Ａの針５と釜との協働により、加工布に刺繍縫いを行なうようになっている。
【００１６】
以上のように構成された多針刺繍ミシン及びその上糸ストッカ２０は、次のように使用される。
【００１７】
（１）まず、１本の針５を縫製位置Ａに配置し、その針５に対応する糸つかみ装置１０の駆動ピン１１をピン押圧装置１７で押圧して前進させ、該糸つかみ装置１０の可動つかみ片１３と固定つかみ片１５との間を開けるとともに、上糸ストッカ２０の押え体２１と糸保持エプロン７との間を開ける。
上糸８を、糸巻から糸調子皿、天秤（いずれも図示略）等を経て、糸保持エプロン７内の可動つかみ片１３と固定つかみ片１５との間に挿通してから、縫製位置Ａの針５に通し、さらに糸掛け枠２４にくぐらせて掛け、上糸８の端部付近８ａを押え体２１と糸保持エプロン７の前面との間に掛ける。そして、図３に示すように、ピン押圧装置１７を退避させて付勢バネ１６により駆動ピン１１を後退させ、上糸８の途中部８ｂを可動つかみ片１３と固定つかみ片１５との間に挟持させるとともに、上糸８の端部付近８ａを押え体２１と糸保持エプロン７の前面との間に挟持させてストックする。
続いて、刺繍ヘッド１を順次回動させて他の針５を次々に縫製位置Ａに配置し、上記と同様に、各上糸８を各針５に対応する糸つかみ装置１０等に通し、途中部８ｂを糸つかみ装置１０に挟持させるとともに、端部付近８ａを対応する上糸ストッカ２０に挟持させてストックする。
【００１８】
（２）ミシンを作動させ、図１及び図４に示すように、複数本の針５から選択される１本の針５を縫製位置Ａに配置して刺繍縫いを行なわせる。その針５が刺繍縫いを開始するとき、ピン押圧装置１７がその針５に対応する糸つかみ装置１０の駆動ピン１１を押圧して前進させるので、可動つかみ片１３が前記途中部８ｂの挟持を解放し、糸巻からの上糸８の供給を可能にする。同時に、押え体２１が前記端部付近８ａの挟持を解放し、該端部付近８ａが上糸ストッカ２０から容易に抜け外れる。
このとき、一つの上糸ストッカ２０には１本の上糸８の端部付近８ａしか挟持されていないので、その端部付近８ａが上糸ストッカ２０から抜け外れても、他の針５に通っている他の上糸８に全く干渉しない。従って、他の上糸８が一緒に抜け外れて脱落することはないし（加工布に縫込まれない）、緩むことすらない（針５の下方へループを作らない）。
【００１９】
（３）縫製位置Ａに配置された針５が刺繍縫いを休止したとき、糸つかみ装置１０が上糸８の途中部８ｂを挟持し、その針５に通っている上糸８が釜の近傍の糸切断装置（図示略）で切断される。その上糸８が針５の後方の上糸はらい装置（図示略）で針５の後方へはらい上げられ、該上糸８の切断端部付近が針５の後方の上糸保持具２５（図４参照）で保持されるため、該上糸８を再び上糸ストッカ２０に係止させる必要は無くなる。
【００２０】
（４）刺繍ヘッド１が回動して縫製位置Ａに配置される針５が変わるとき（色換え時）、全部の針５及び上糸８が共に回動する一方、布押え６は縫製位置Ａに止まっている。
このとき、上記（２）の通り、各上糸８が針５の下方へループを作っていないので、各上糸８が布押え６に引っ掛かって上糸ストッカ５５から抜け外れるという不具合が発生しない。
【００２１】
なお、この発明は上記実施態様に限定されるものではなく、例えば次のように変更して実施することも可能である。
（１）押え体２１の材質や形状を変更すること。
（２）駆動ピン１１の前端に雄ネジを形成し、押え体２１に雌ネジを形成し、両者を位置調整可能に螺合させること。
（３）布押え６を各針棒４に設けて針５とともに駆動する一般タイプの刺繍ミシンに具体化すること。
【００２２】
【発明の効果】
以上詳述したように、本発明に係る多針刺繍ミシンの上糸ストッカによれば、縫製位置に配置された針に通っている上糸の端部付近が上糸ストッカから抜け外れるときに、確実にその上糸のみが抜け外れるようにし、他の針に通っている上糸が一緒に抜け外れたり緩んだりする不具合を防止することができる。
【図面の簡単な説明】
【図１】本発明の実施態様に係る多針刺繍ミシン及びその上糸ストッカを示す斜視図である。
【図２】同多針刺繍ミシンの糸保持エプロン、糸つかみ装置及び上糸ストッカを下方から見た図である。
【図３】同糸つかみ装置及び上糸ストッカによる上糸の挟持時を示す断面図である。
【図４】同糸つかみ装置及び上糸ストッカによる上糸の挟持解放時を示す断面図である。
【図５】従来例に係る多針刺繍ミシン及びその上糸ストッカを示す斜視図である。
【図６】同上糸ストッカの断面図である。
【符号の説明】
１    刺繍ヘッド
５    針
７    糸保持エプロン
８    上糸
８ａ    端部付近
８ｂ    途中部
１０    糸つかみ装置
１１    駆動ピン
１３    可動つかみ片
１５    固定つかみ片
２０    上糸ストッカ
２１    押え体
【図１】
0004063411.tif 000002
【図２】
0004063411.tif 000003
【図３】
0004063411.tif 000004
【図４】
0004063411.tif 000005
【図５】
0004063411.tif 000006
【図６】
0004063411.tif 000007